(57)【特許請求の範囲】
【請求項１】
遊技盤裏側の裏セットの取付台に、遊技用の制御基板を収納した制御基板収納ボックスが装備される遊技機において、
前記制御基板収納ボックスは、
背面側が開口された薄箱状に形成されて各種制御用電子部品の実装面の外側縁に沿って複数個のコネクタを配置して接続された前記制御基板を開口面側に収納状態で定置するボックス本体と、
前記制御基板のコネクタを除く実装面を覆う箱形状に形成されて前記ボックス本体に対してヒンジ手段により片持ち形態で開閉可能及び着脱可能に組み付けられて封印手段にねじ込まれる封印ネジで封印されるボックスカバー体と、
前記ボックスカバー体を覆蓋し得る箱形状に形成されて前記ボックス本体に対してヒンジ手段により片持ち形態で開閉可能及び着脱可能に組み付けられてロック手段でロックされる保護カバー体と、から構成され、
前記ボックス本体では、
周壁部の一側縁外側に前記ヒンジ手段の２組のヒンジ軸がともに同一中心線上に整列状態で形成されて離隔配置され、周壁部の他側縁外側に前記封印手段のボス状の封印用連結部が切断用薄肉部を介して形成され、
前記ボックスカバー体では、
周壁部の一側縁外側に前記ヒンジ手段の１組のヒンジ軸に対して着脱可能に係合されるフック状のヒンジ部が形成され、周壁部の他側縁外側に前記封印手段の封印用連結部と整合されるボス状の封印用連結部が切断用薄肉部を介して形成される一方、周壁部の他側縁に沿って外向きに張り出した張出部が水平状に形成され、この張出部の長手方向に前記複数個のコネクタの開口孔が形成され、天井平板部の所定部位に前記ロック手段のロック孔を貫通した突輪が内向きに突設され、
前記保護カバー体では、
周壁部の一側縁外側に前記ヒンジ手段の他の１組のヒンジ軸に対して着脱可能に係合されるフック状のヒンジ部が形成され、周壁部の他側縁外側に前記ボックスカバー体の封印用連結部の外端部を覆う封印覆部が形成され、この封印覆部の内側面に前記封印用連結部の段付孔内に嵌合し得る差込凸部が突設される一方、蓋板部の所定部位に縮小・復元方向に弾性変形可能に形成されて前記ボックスカバー体のロック孔に挿入して突輪に着脱可能に係合し得る弾性係止片が内向きに突出され、蓋板部の側縁部に前記コネクタの配設領域を覆うコネクタ覆部を形成すると共に該コネクタ覆部に前記コネクタに各々差込み接続された接続ケーブルのコネクタを押込むためコネクタ押え部が内向きに形成され、
前記封印手段では、
前記ボックス本体の封印用連結部に形成された段付孔と、前記ボックスカバー体の封印用連結部に形成されたねじ込み孔との間に封印ネジをねじ込んで結合するとともに、前記保護カバー体の差込凸部を前記段付孔内に嵌合する一方、前記切断用薄肉部及び前記切断用薄肉部を切断して前記ボックス本体に対して前記ボックスカバー体を封印解除して開放可能とし、
前記ロック手段では、
前記保護カバー体が前記ボックスカバー体を覆蓋した際にロック部材の弾性係止片が前記突輪のロック孔に挿入して突輪に弾性的に係止し、前記ボックス本体に対して前記ボックスカバー体が封印解除されて開放後の状態において、前記ロック部材の弾性係止片をボックスカバー体の内面側から縮小状態に弾性変形させて前記突輪からロック解除することにより、前記ボックスカバー体に対して前記保護カバー体が分離して開放可能とされることを特徴とする遊技機。
【発明の詳細な説明】
【０００１】
【発明の属する技術分野】
この発明は、主としてパチンコ機のような遊技機に関する。
【０００２】
【従来の技術】
従来、例えば、遊技機としてのパチンコ機において、遊技盤の裏面側に設けられた制御基板取付台には、制御基板を収納した制御基板収納ボックスが装着されている。前記制御基板の不正改造、例えば不正ＲＯＭの交換を防止するために、制御基板収納ボックスには様々な工夫が施されている。一般的に、制御基板収納ボックスは、制御基板が装着されるボックス本体と、そのボックス本体の開口部を覆蓋するボックスカバー体とを備えている。そして、ボックス本体とボックスカバー体との両者間に跨って封印手段が設けられている。これによって、ボックスカバー体の開放そのものを禁止して制御基板の不正改造等の不正行為を防止している。万一、ボックスカバー体が不測に開けられ、制御基板に対し不正行為が行われた場合には、封印手段が破損されていることを確認することで、前記不正行為が行われた事実を認識できるようになっていた。
【０００３】
また、このような制御基板収納ボックスにおいて、制御基板に配設された複数のコネクタはボックスカバー体によって覆われる構造のものがある。これにおいては、ボックス本体に対しボックスカバー体が装着される前に、その制御基板の複数のコネクタに対し各接続ケーブルのコネクタがそれぞれ差し込まれて接続される。その後、ボックス本体に対しボックスカバー体が装着され封印手段によって封印されるようになっている。このため、ボックス本体に対しボックスカバー体が装着され封印手段によって封印されたところで、制御基板の複数のコネクタに対する各接続ケーブルのコネクタの接続が誤っていることが確認されると、封印手段を破損しなければならないという不具合がある。このような不具合を考慮して、制御基板に配設された複数のコネクタがボックスカバー体から露出される構造となっているものがある。
【０００４】
【発明が解決しようとする課題】
ところで、前記したように制御基板に配設された複数のコネクタがボックスカバー体から露出される構造となっている場合、その制御基板のコネクタに対し正規の接続ケーブルが外され、不正行為がなされるおそれがある。また、ボックス本体とボックスカバー体とを封印している封印手段の封印部品が巧妙に外されると、ボックスカバー体が開放可能となるため、制御基板の不正改造等の不正行為がなされるおそれがある。
【０００５】
この発明の目的は、前記従来の問題点に鑑み、制御基板に対する不正行為を簡単な構造によって防止することができる遊技機を提供することである。
【０００６】
【課題を解決するための手段】
前記目的を達成するため本発明は、遊技盤裏側の裏セットの取付台に、遊技用の制御基板を収納した制御基板収納ボックスが装備される遊技機において、
前記制御基板収納ボックスは、
背面側が開口された薄箱状に形成されて各種制御用電子部品の実装面の外側縁に沿って複数個のコネクタを配置して接続された前記制御基板を開口面側に収納状態で定置するボックス本体と、
前記制御基板のコネクタを除く実装面を覆う箱形状に形成されて前記ボックス本体に対してヒンジ手段により片持ち形態で開閉可能及び着脱可能に組み付けられて封印手段にねじ込まれる封印ネジで封印されるボックスカバー体と、
前記ボックスカバー体を覆蓋し得る箱形状に形成されて前記ボックス本体に対してヒンジ手段により片持ち形態で開閉可能及び着脱可能に組み付けられてロック手段でロックされる保護カバー体と、から構成され、
前記ボックス本体では、
周壁部の一側縁外側に前記ヒンジ手段の２組のヒンジ軸がともに同一中心線上に整列状態で形成されて離隔配置され、周壁部の他側縁外側に前記封印手段のボス状の封印用連結部が切断用薄肉部を介して形成され、
前記ボックスカバー体では、
周壁部の一側縁外側に前記ヒンジ手段の１組のヒンジ軸に対して着脱可能に係合されるフック状のヒンジ部が形成され、周壁部の他側縁外側に前記封印手段の封印用連結部と整合されるボス状の封印用連結部が切断用薄肉部を介して形成される一方、周壁部の他側縁に沿って外向きに張り出した張出部が水平状に形成され、この張出部の長手方向に前記複数個のコネクタの開口孔が形成され、天井平板部の所定部位に前記ロック手段のロック孔を貫通した突輪が内向きに突設され、
前記保護カバー体では、
周壁部の一側縁外側に前記ヒンジ手段の他の１組のヒンジ軸に対して着脱可能に係合されるフック状のヒンジ部が形成され、周壁部の他側縁外側に前記ボックスカバー体の封印用連結部の外端部を覆う封印覆部が形成され、この封印覆部の内側面に前記封印用連結部の段付孔内に嵌合し得る差込凸部が突設される一方、蓋板部の所定部位に縮小・復元方向に弾性変形可能に形成されて前記ボックスカバー体のロック孔に挿入して突輪に着脱可能に係合し得る弾性係止片が内向きに突出され、蓋板部の側縁部に前記コネクタの配設領域を覆うコネクタ覆部を形成すると共に該コネクタ覆部に前記コネクタに各々差込み接続された接続ケーブルのコネクタを押込むためコネクタ押え部が内向きに形成され、
前記封印手段では、
前記ボックス本体の封印用連結部に形成された段付孔と、前記ボックスカバー体の封印用連結部に形成されたねじ込み孔との間に封印ネジをねじ込んで結合するとともに、前記保護カバー体の差込凸部を前記段付孔内に嵌合する一方、前記切断用薄肉部及び前記切断用薄肉部を切断して前記ボックス本体に対して前記ボックスカバー体を封印解除して開放可能とし、
前記ロック手段では、
前記保護カバー体が前記ボックスカバー体を覆蓋した際にロック部材の弾性係止片が前記突輪のロック孔に挿入して突輪に弾性的に係止し、前記ボックス本体に対して前記ボックスカバー体が封印解除されて開放後の状態において、前記ロック部材の弾性係止片をボックスカバー体の内面側から縮小状態に弾性変形させて前記突輪からロック解除することにより、前記ボックスカバー体に対して前記保護カバー体が分離して開放可能とされる遊技機を提供する。
【０００７】
本発明の遊技機は、保護カバー体が、制御基板収納ボックスのコネクタの配設領域及び封印手段をそれぞれ覆うコネクタ覆部及び封印覆部を備えている。したがって、保護カバー体のコネクタ覆部及び封印覆部によって制御基板のコネクタの配設領域及び封印手段がそれぞれ覆われる。このため、封印手段が巧妙に外される不具合を防止することができる。これによって、ボックスカバー体が不測に開放され、制御基板の構成部品が不正に取り替えられたり、あるいは制御基板の不正改造等の不正行為がなされることを未然に防止することが可能となる。また、制御基板のコネクタに対し正規の接続ケーブルが外され、不正行為がなされることも防止することができる。
【０００８】
また、制御基板収納ボックスと保護カバー体との間には、その保護カバー体を外側からは開放不能にロックしかつ制御基板収納ボックスの内側からはロック解除されるロック手段が設けられている。したがって、制御基板収納ボックスに対し保護カバー体が、ロック手段によってロックされることで、その保護カバー体の外側からは解放不能となる。このため、保護カバー体が不測に開放されることが防止され、制御基板に対する不正行為がより一層確実に防止される。
【０００９】
【発明の実施の形態】
（実施の形態１）
この発明の実施の形態１をパチンコ機を例示して図１〜図１６にしたがって説明する。パチンコ機の略中央部を底面側から視た断面で表した図１及びパチンコ機全体を背面から表した図２において、遊技機としてのパチンコ機１は、その木枠２の前側に前枠３が開閉可能に装着されている。前枠３の開口部の前側にはガラス扉の扉枠８が組み付けられている。また、前枠３の裏面には、その開口部の周縁部においてベース枠４が組み付けられている。
【００１０】
前記ベース枠４の枠内には遊技盤２０が着脱可能に嵌込まれている。この遊技盤２０には、図示しない賞球装置、役物装置、表示装置等が配設されている。さらに、遊技盤２０の裏面の中央部には、球の裏誘導路３０を有する球誘導ケース３１や役物装置に対する役物基板（図示しない）等が組み付けられている。球誘導ケース３１の裏面側には、前記賞球装置、役物装置、表示装置に組み込まれた電機部品（ソレノイド、モータ、ランプ類等）に対し接続ケーブル３３によって接続された中継基板３２が組み付けられている。中継基板３２のコネクタには接続ケーブル３５がその一端のコネクタにおいて接続されている。この接続ケーブル３５の他端部に設けられたコネクタ３６は、後述の制御基板収納ボックス６１内の制御基板６０に配設された各コネクタ５９に差し込まれて接続される。また、遊技盤２０は、その裏面の周縁部に配設された裏セット機構９の主体部をなす裏セット板１０によってベース枠４の支持面５に押し付けられて保持されている。
【００１１】
前記裏セット機構９の主体部をなす裏セット板１０は、次に述べる制御基板取付台５０の周囲を取り囲むようにして枠状に構成されている。そして、裏セット板１０は、その一側（図１及び図２に向かって右側）において裏セットヒンジ６によってベース枠４の一側に開閉可能に組み付けられている。さらに、裏セット板１０は、その自由端側（図１及び図２に向かって左側）において複数の締め具７によってベース枠４に対し係脱可能に締め付けられている。これによって裏セット板１０がベース枠４に対し、閉じ状態に保持されている。また、図２に示すように、裏セット板１０には、球タンク１１、タンクレール１２、賞品球排出装置１３等が配設され、これによって裏セット機構９が構成されている。
【００１２】
図１に示すように、前記遊技盤２０の裏面の略中央部には、前記球誘導ケース３１及び中継基板３２等を覆うようにして制御基板取付台５０が適宜の取付手段によって装着されている。この制御基板取付台５０の台板部には、制御基板６０が収納された制御基板収納ボックス６１が適宜の取付手段によって取り付けられている。図３〜図６に示すように、前記制御基板収納ボックス６１は、ボックス本体６２と、ボックスカバー体７０とを備えている。ボックス本体６２は、背面側が開口された薄箱状に形成され、その内部には制御基板６０が装着されている。この制御基板６０の表面には、前記中継基板３２やあるいは枠制御基板１５等に対する各種の複数のコネクタ５９が配設されている。また、ボックス本体６２の一側壁の外側面には、上下対をなす第１取付部６４が形成され、これら第１取付部６４の先端部には上下方向のヒンジ軸６５が形成されている。さらに、ボックス本体６２の一側壁の外側面には、前記対の第１取付部６４に隣接して上下対をなす第２取付部６６が形成され、これら第２取付部６６の先端部には、上下方向のヒンジ軸６７が形成されている。
【００１３】
前記ボックス本体６２には、その開口部を塞ぐようにしてボックスカバー体７０が装着されている。このボックスカバー体７０は、制御基板６０の複数のコネクタの配設領域を除いてその制御基板６０の略全体を覆う蓋板部と周壁部とを備えた箱形状に形成されている。ボックスカバー体７０の周壁部の一側外側面には、ボックス本体６２の第１取付部６４のヒンジ軸６５に回動可能に係合するフック状のヒンジ部７１が形成されている。そして、ボックスカバー体７０は、そのフック状のヒンジ部７１が第１取付部６４のヒンジ軸６５に係合した状態においてヒンジ軸６５を中心として回動されることで、ボックス本体６２に対し開閉動作されるようになっている。また、図３と図７に示すように、ボックスカバー体７０には、制御基板６０の複数のコネクタ５９の配設領域に対応する部分に、これら各コネクタ５９に接近して張り出す張出部が形成されている。そして、その張出部には、各コネクタ５９をそれぞれ露出させる開口孔が形成されている。また、ボックスカバー体７０の蓋板部及び周壁部には多数の放熱用貫通孔７２が貫設されている。
【００１４】
図８に示すように、前記ボックスカバー体７０は、ボックス本体６２に対し、これら両部材の間に跨って配設された封印手段８０によって封印されている。そして、封印手段８０によってボックスカバー体７０が不測に開放されることが阻止されるようになっている。この実施の形態１において、ボックスカバー体７０の自由端側外側部に形成された封印用連結部８４から、ボックス本体６２の所定位置に形成された封印用連結部８１に向けて封印ネジ８８がねじ込まれることで封印手段８０が構成されている。
【００１５】
すなわち、図３、図８及び図９に示すように、ボックスカバー体７０の自由端側外側部には、複数（図３では４つ）の封印用連結部８４が切断用薄肉部８５を介してそれぞれ略平行状に突設されている。これら各封印用連結部８４の中心部には、封印用段付孔８６が貫設されている。この封印用段付孔８６は、その下部に封印ネジ８８のネジ部が挿通可能な小径部を有し、上部には封印ネジ８８の頭部が挿通可能な大径部を有している。さらに、封印用段付孔８６は、その小径部と大径部との境界に封印ネジ８８の頭部下面に当接する段差面が形成されている。一方、ボックス本体６２の外側面には、前記各封印用連結部８４にそれぞれ対応する位置において、封印用連結部８１が切断用薄肉部８２を介してそれぞれ略平行状に突設されている。これら各封印用連結部８１には、封印ネジ８８に対する封印用ねじ込孔８３が形成されている。
【００１６】
前記制御基板収納ボックス６１には、不正行為防止用の保護カバー体９０が装着されている。この実施の形態１において、保護カバー体９０は、合成樹脂の射出成形によって蓋板部９１と周壁部９２とを一体に備えた箱形状に形成されている。図３と図４に示すように、保護カバー体９０には、ボックスカバー体７０を覆うボックス覆部９４と、制御基板６０の各コネクタ５９の配設領域を覆うコネクタ覆部９６とが形成されている。さらに、保護カバー体９０の周壁部９２の片側（図４に向かって左側）には、封印手段８０を覆う封印覆部９５が一体に形成されている。
【００１７】
図４と図６に示すように、前記保護カバー体９０の周壁部の一側外側面には、ボックス本体６２の第２取付部６６のヒンジ軸６７に回動可能に係合するフック状のヒンジ部９３が形成されている。そして、保護カバー体９０は、そのフック状のヒンジ部９３が第２取付部６６のヒンジ軸６７に係合した状態において、そのヒンジ軸６７を中心として回動されることで、制御基板収納ボックス６１に対し開閉されるようになっている。
【００１８】
図３と図４に示すように、前記保護カバー体９０と制御基板収納ボックス６１との間には、その保護カバー体９０を外側からは開放不能にロックしかつ制御基板収納ボックス６１の内側からはロック解除されるロック手段１００が設けられている。この実施の形態１において、ロック手段１００は、保護カバー体９０の蓋板部９１の内面の自由端寄り部分（フック状のヒンジ部９３と反対側部分）の複数箇所（図４において２箇所）に突設されたロック部材１０１と、ボックスカバー体７０の蓋板部に貫設されかつ前記各ロック部材１０１が弾性的に差し込まれてそれぞれ係合するロック孔１０５とを備えている。なお、ボックスカバー体７０の蓋板部の内面には前記ロック孔１０５を有する突輪１０６が突設されている。
【００１９】
図８と図１０に示すように、前記ロック部材１０１は、ロック孔１０５に係合する係止爪１０３を先端部にそれぞれ有する一対の弾性係止片１０２を備えている。そして、一対の弾性係止片１０２は、その係止爪１０３の傾斜面１０３ａにおいてロック孔１０５に押し込まれながら差し込まれる。この際、まず、一対の弾性係止片１０２が、一旦、弾性的に縮小されながら差し込まれ、引き続いて、係止爪１０３がロック孔１０５を通過する所定位置まで差し込まれる。すると、一対の弾性係止片１０２が弾性的に拡開され、その係止爪１０３がロック孔１０５に係合し、その係合力によって、保護カバー体９０を外側からは開放不能にロックするようになっている。
【００２０】
また、この実施の形態１において、図８と図１０に示すように、保護カバー体９０の蓋板部９１には、その各ロック部材１０１の周囲に沿って略円形状をなす切除用切り込み溝１１０が複数の切断用連結部１１１をもって形成されている。そして、切断用連結部１１１がニッパ等を用いて切断されることで、保護カバー体９０の蓋板部９１からロック部材１０１が切り離されるようになっている。
【００２１】
また、図３、図４及び図７に示すように、前記保護カバー体９０のコネクタ覆部９６には、その保護カバー体９０の蓋板部９１内面と周壁部９２の内面にわたって複数の板状のコネクタ押え部９７が形成されている。前記各コネクタ押え部９７の先端部は、制御基板６０の各コネクタ５９にそれぞれ接続される接続ケーブル３５の各コネクタ３６に接近する位置までそれぞれ延出されている。そして、制御基板６０の各コネクタ５９に対し接続ケーブル３５の各コネクタ３６が抜け出る方向において接続ケーブル３５に引張力が作用したときには、前記コネクタ押え部９７の先端部が接続ケーブル３５の各コネクタ３６に当接して各コネクタ３６を押える。これによって制御基板６０の各コネクタ５９に対し接続ケーブル３５の各コネクタ３６が不測に抜け出る不具合が防止されるようになっている。
【００２２】
また、図８と図９に示すように、前記保護カバー体９０の封印覆部９５は、封印手段８０を覆うようにして保護カバー体９０の自由端側の周壁部９２から張り出されている。そして、この封印覆部９５の蓋板部内面には、ボックスカバー体７０の複数の封印用連結部８４に形成された封印用段付孔８６の開口部にそれぞれ嵌挿される差込凸部９９が突設されている。そして、封印用段付孔８６と差込凸部９９との嵌合作用によって、封印用段付孔８６内に封印ネジ８８を封入保持することができる。このため、封印ネジ８８に対する不正な取り外し行為が確実に防止される。さらに、封印用段付孔８６と差込凸部９９との嵌合作用によって、制御基板収納ボックス６１に対し保護カバー体９０がガタツクことなくかつ確実に閉鎖保持される。また、この実施の形態１において、図３と図４に示すように、保護カバー体９０の蓋板部９１には放熱用開口窓９８が形成されている。そして、制御基板収納ボックス６１のボックスカバー体７０に貫設された多数の放熱用貫通孔７２による放熱作用が保護カバー体９０によって妨げられることなく前記放熱用開口窓９８を通して良好に行われるようになっている。
【００２３】
この実施の形態１は上述したように構成される。したがって、まず、図１１に示すように、制御基板収納ボックス６１において、制御基板６０が収納されたボックス本体６２の第１取付部６４のヒンジ軸６５に、ボックスカバー体７０のフック状のヒンジ部７１が係合された状態で、ボックス本体６２に対しボックスカバー体７０がヒンジ軸６５を中心として回動されて閉じられる。ここで、ボックス本体６２とボックスカバー体７０との相互に形成され複数対の封印用連結部８１、８４のうち、１対の封印用連結部８１、８４が選択され、その選択された封印用連結部８４の封印用段付孔８６から封印用連結部８１の封印用ねじ込孔８３に向けて封印ネジ８８がねじ込まれることで、ボックス本体６２に対しボックスカバー体７０が封印される。なお、封印ネジ８８は、その締付方向と反対方向に回転されたときには空回りして取り外しができないワンウエイネジ構造となっている。また、前記制御基板収納ボックス６１のボックスカバー体７０の開口孔に露出された制御基板６０の各コネクタ５９には、中継基板３２に対する接続ケーブル３５のコネクタ３６の他、枠制御基板１５に対する接続ケーブル（図示しない）のコネクタが差し込まれて接続される。
【００２４】
次に、図１２に示すように、ボックス本体６２の第２取付部６６のヒンジ軸６７に、保護カバー体９０のフック状のヒンジ部９３が係合された状態で、ボックス本体６２に対し保護カバー体９０がヒンジ軸６７を中心として回動されて閉じられる。すると、図１３に示すように、保護カバー体９０の各ロック部材１０１の一対の弾性係止片１０２がボックスカバー体７０のロック孔１０５に押し込まれながら差し込まれる。これによって、一対の弾性係止片１０２の係止爪１０３がロック孔１０５に係合し、その係合力によって、保護カバー体９０が外側からは開放不能にロックされる。この保護カバー体９０のロックと略同時に、保護カバー体９０の封印覆部９５の差込凸部９９が複数の封印用段付孔８６の開口部にそれぞれ嵌挿される。そして、封印用段付孔８６と差込凸部９９との嵌合作用によって、封印用段付孔８６内に封印ネジ８８を封入保持することができる。このため、封印ネジ８８に対する不正な取り外し行為を確実に防止することができる。さらに、封印用段付孔８６と差込凸部９９との嵌合作用によって、制御基板収納ボックス６１に対し保護カバー体９０をガタツクことなくかつ確実に閉鎖保持することができる。
【００２５】
また、この実施の形態１において、制御基板６０の各コネクタ５９に対し、中継基板３２に対する接続ケーブル３５のコネクタ３６や枠制御基板１５に対する接続ケーブル（図示しない）のコネクタが誤って接続された場合、保護カバー体９０の蓋板部９１の切除用切り込み溝１１０の複数の切断用連結部１１１がニッパ等を用いて切断されることで、保護カバー体９０の蓋板部９１からロック部材１０１が切り離される。これによって、保護カバー体９０が開放可能となるため、制御基板６０の各コネクタに対する接続ケーブルのコネクタの差し替え作業が行われ、前記誤った接続が解消される。なお、前記ロック部材１０１が切り離された保護カバー体９０は破棄される。一方、ボックスカバー体７０のロック孔１０５に残されたロック部材１０１は、適宜に切断されて除去される。そして、制御基板収納ボックス６１のボックス本体６２対し、同一構造の別の保護カバー体９０が装着される。そして、この保護カバー体９０においても、そのロック部材１０１とロック孔１０５との係合力によって、開放不能にロックされる。
【００２６】
前記したようにして、保護カバー体９０のみを交換することで、制御基板６０の各コネクタに対する誤ったコネクタの差し替え作業を容易に行うことができる。すなわち、制御基板収納ボックス６１の封印手段８０の封印ネジ８８がねじ込まれている封印用連結部８１、８４がその根元部の切断用薄肉部８２、８５において切断されることでも、ボックスカバー体７０と共に保護カバー体９０が開放される。ところが、パチンコ機１を製品として出荷する前に、前記封印手段８０を破損すると、高価である制御基板収納ボックス６１全体を取り替えなければならない場合があり、経済的損出が大きい。ところが、高価な制御基板収納ボックス６１に比べ、安価な保護カバー体９０のみを交換することで、制御基板６０の各コネクタに対する誤ったコネクタの差し替え作業を容易に行うことができ、経済的効果が大きい。
【００２７】
前記したように、制御基板収納ボックス６１に対し保護カバー体９０が閉鎖保持され状態において、図４に示すように、保護カバー体９０のボックス覆部９４、封印覆部９５及びコネクタ覆部９６によって制御基板収納ボックス６１、制御基板６０のコネクタ５９の配設領域及び封印手段８０がそれぞれ覆われる。このため、封印手段８０の封印ネジ８８が巧妙に外される不具合を防止することができる。この結果、ボックスカバー体７０が不測に開放され、制御基板６０の構成部品が不正に取り替えられたり、あるいは制御基板６０の不正改造等の不正行為がなされることを未然に防止することが可能となる。また、制御基板６０の各コネクタ５９に対し正規の接続ケーブル３５のコネクタ３６が外され、不正行為がなされることも防止することができる。
【００２８】
また、この実施の形態１において、制御基板６０の各コネクタ５９に対し接続ケーブル３５のコネクタ３６が抜け出る方向において接続ケーブル３５に引張力が作用した場合、図７に示すように、保護カバー体９０のコネクタ覆部９６の各コネクタ押え部９７の先端部が接続ケーブル３５の各コネクタ３６に当接して各コネクタを押えることができる。このため、制御基板６０の各コネクタ５９に対し接続ケーブル３５の各コネクタ３６が不測に抜け出る不具合を確実に防止することができる。
【００２９】
また、パチンコホールなどにおいて、保護カバー体９０の切断用連結部１１１が不測に切断され、ロック部材１０１が切り離されて保護カバー体９０が不正に開かれることが想定される。ところが、仮に、保護カバー体９０が開かれたとしても、制御基板収納ボックス６１は、従来と同様にして封印手段８０によって封印されている。このため、保護カバー体９０のロック部材１０１を破壊して保護カバー体９０を開放する手間を必要とする分だけ制御基板収納ボックス６１に対する不正行為防止の効果が増大する。また、保護カバー体９０の切断用連結部１１１が不測に切断され、ロック部材１０１が切り離されていることを確認することで、不正行為が行われたことを想定することが容易となる。
【００３０】
次に、制御基板収納ボックス６１の制御基板６０の検査や保守点検等を行う場合、図１４に示すように、封印手段８０の複数対の封印用連結部８１、８４のうち、封印ネジ８８がねじ込まれている封印用連結部８１、８４がその根元部の切断用薄肉部８２、８５においてニッパ等の切断工具によって切断される。ここで、図１５に示すように、ボックス本体６２に対しボックスカバー体７０が第１取付部６４のヒンジ軸６５を中心として開放されると共に、保護カバー体９０が第２取付部６６のヒンジ軸６７を中心として開放される。なお、第１取付部６４のヒンジ軸６５の中心と第２取付部６６のヒンジ軸６７の中心は同一中心線上に設定されているため、ボックス本体６２に対しボックスカバー体７０と保護カバー体９０とが一体状をなして開放される。このように、ボックス本体６２に対しボックスカバー体７０と保護カバー体９０とが開放された状態で、ボックス本体６２の制御基板６０の検査や保守点検等が行われる。
【００３１】
また、図１５に示すように、ボックス本体６２に対しボックスカバー体７０と共に保護カバー体９０が開放されると、保護カバー体９０のロック部材１０１がボックスカバー体７０の内側に露出する。このため、図１５に示すように、ロック部材１０１の一対の弾性係止片１０２を弾性的に縮小させながらボックスカバー体７０のロック孔１０５から離脱させてロック解除することができる。その後は、図１６に示すように、ボックス本体６２に対しボックスカバー体７０のみを着脱することもでき、保護カバー体９０のみを着脱することもできる。
【００３２】
（実施の形態２）
次に、この発明の実施の形態２を図１７にしたがって説明する。この実施の形態２において、保護カバー体９０１には、制御基板収納ボックス６１の一部のみを覆うボックス覆部９４１と、制御基板６０のコネクタ５９の配設領域を覆うコネクタ覆部９６１と、封印手段８０を覆う封印覆部９５１とがそれぞれ一体に形成されている。また、前記保護カバー体９０１の一側外側面には、ボックス本体６２の第２取付部６６のヒンジ軸６７に回動可能に係合するフック状のヒンジ部９３１が形成されている。保護カバー体９０１と制御基板収納ボックス６１との間には、その保護カバー体９０１を外側からは開放不能にロックしかつ制御基板収納ボックス６１の内側からはロック解除されるロック手段１００が設けられている。このロック手段１００は、実施の形態１と同様にして構成される。また、その他の構成も実施の形態１と同様にして構成されるため、その説明は省略する。
【００３３】
したがって、この実施の形態２においても、制御基板収納ボックス６１に対し保護カバー体９０１が閉鎖保持された状態において、保護カバー体９０１の封印覆部９５１及びコネクタ覆部９６１によって、制御基板６０のコネクタ５９の配設領域及び封印手段８０がそれぞれ覆われる。このため、ボックスカバー体７０が不測に開放され、制御基板６０の構成部品が不正に取り替えられたり、あるいは制御基板６０の不正改造等の不正行為がなされることを未然に防止することが可能となる。また、制御基板６０の各コネクタ５９に対し正規の接続ケーブル３５のコネクタ３６が外され、不正行為がなされることも防止することができる。
【００３４】
（実施の形態３）
次に、この発明の実施の形態３を図１８にしたがって説明する。この実施の形態３において、保護カバー体９０２には、制御基板収納ボックス６１の一部を覆うボックス覆部９４２と、封印手段８０を覆う封印覆部９５２とがそれぞれ一体に形成されている。また、前記保護カバー体９０２の一側外側面には、ボックス本体６２の第２取付部６６のヒンジ軸６７に回動可能に係合するフック状のヒンジ部９３２が形成されている。保護カバー体９０２と制御基板収納ボックス６１との間には、その保護カバー体９０２を外側からは開放不能にロックしかつ制御基板収納ボックス６１の内側からはロック解除されるロック手段１００が設けられている。このロック手段１００は、実施の形態１と同様にして構成される。また、その他の構成も実施の形態１と同様にして構成されるため、その説明は省略する。
【００３５】
したがって、この実施の形態３においても、制御基板収納ボックス６１に対し保護カバー体９０２が閉鎖保持され状態において、保護カバー体９０２の封印覆部９５２によって封印手段８０が覆われる。このため、ボックスカバー体７０が不測に開放され、制御基板６０の構成部品が不正に取り替えられたり、あるいは制御基板６０の不正改造等の不正行為がなされることを未然に防止することが可能となる。
【００３６】
（実施の形態４）
次に、この発明の実施の形態４を図１９にしたがって説明する。この実施の形態４において、保護カバー体９０３には、制御基板６０のコネクタ５９の配設領域を覆うコネクタ覆部９６３が一体に形成されている。また、前記保護カバー体９０３の一側外側面には、ボックス本体６２の第２取付部６６のヒンジ軸６７に回動可能に係合するフック状のヒンジ部９３３が形成されている。保護カバー体９０３と制御基板収納ボックス６１との間には、その保護カバー体９０３を外側からは開放不能にロックしかつ制御基板収納ボックス６１の内側からはロック解除されるロック手段１００が設けられている。このロック手段１００は、実施の形態１と同様にして構成される。また、その他の構成も実施の形態１と同様にして構成されるため、その説明は省略する。
【００３７】
したがって、この実施の形態４においても、制御基板収納ボックス６１に対し保護カバー体９０３が閉鎖保持され状態において、保護カバー体９０３のコネクタ覆部９６３によって、制御基板６０のコネクタ５９の配設領域がそれぞれ覆われる。このため、制御基板６０の各コネクタ５９に対し正規の接続ケーブル３５のコネクタ３６が外され、不正行為がなされることを防止することができる。
【００３８】
（実施の形態５）
次に、この発明の実施の形態５を図２０〜図２２にしたがって説明する。この実施の形態５において、図２０に示すように、遊技盤２０４の裏面側に装着された制御ボックス取付台５０４には、制御基板収納ボックス６１４が図示しない取付手段によって取り付けられている。前記制御基板収納ボックス６１４は、ボックス本体６２４と、そのボックス本体６２４に開閉可能に装着され図示しない封印手段によって封印されたボックスカバー体７０４とを備えている。ボックスカバー体７０４には、制御基板６０４の複数のコネクタ５９４の配設領域に対応する部分に、これら各コネクタ５９４をそれぞれ露出させるコネクタ開口部が形成されている。
【００３９】
前記ボックスカバー体７０４には、そのコネクタ開口部に対し保護カバー体９０４が装着されている。この保護カバー体９０４は、ボックスカバー体７０４の蓋板部と略同一面をなしてコネクタ開口部に取付ネジ８９４によって取り付けられかつコネクタ押え部をなす基板部９７４と、その基板部９７４の一端から制御ボックス取付台５０４に向けて延出されかつ制御基板６０４の複数のコネクタ５９４の配設領域を覆うコネクタ覆部９６４とを備えて断面略Ｌ字状に形成されている。なお、取付ネジ８９４は、その締付方向と反対方向に回転されたときには空回りして取り外しができないワンウエイネジ構造となっている。
【００４０】
したがって、この実施の形態５においても、図２１と図２２に示すように、制御基板収納ボックス６１４に対し保護カバー体９０４が閉鎖保持された状態において、保護カバー体９０４の基板部９７４及びコネクタ覆部９６４によって、制御基板６０４のコネクタの配設領域が覆われる。このため、制御基板６０４の各コネクタ５９４に対し正規の接続ケーブル３５４のコネクタ３６４が外され、不正行為がなされることを防止することができる。さらに、保護カバー体９０４の基板部９７４によって、制御基板６０４の各コネクタ５９４に対し接続ケーブル３５４の各コネクタ３６４が不測に抜け出る不具合を確実に防止することができる。
【００４１】
なお、前記実施の形態１〜５においては、遊技機がパチンコ機１である場合を例示したが、パチンコ機１以外のスロットルマシン等の遊技機であっても採用可能である。
【００４２】
【発明の効果】
以上述べたように本発明の遊技機は、保護カバー体が、制御基板収納ボックスのコネクタの配設領域及び封印手段をそれぞれ覆うコネクタ覆部及び封印覆部を備えている。したがって、保護カバー体のコネクタ覆部及び封印覆部によって制御基板のコネクタの配設領域及び封印手段がそれぞれ覆われる。このため、封印手段が巧妙に外される不具合を防止することができる。これによって、ボックスカバー体が不測に開放され、制御基板の構成部品が不正に取り替えられたり、あるいは制御基板の不正改造等の不正行為がなされることを未然に防止することが可能となる。また、制御基板のコネクタに対し正規の接続ケーブルが外され、不正行為がなされることも防止することができる。
【００４３】
また、制御基板収納ボックスと保護カバー体との間には、その保護カバー体を外側からは開放不能にロックしかつ制御基板収納ボックスの内側からはロック解除されるロック手段が設けられている。したがって、制御基板収納ボックスに対し保護カバー体が、ロック手段によってロックされることで、その保護カバー体の外側からは解放不能となる。このため、保護カバー体が不測に開放されることが防止され、制御基板に対する不正行為がより一層確実に防止される。
【図面の簡単な説明】
【図１】この発明の実施の形態１の制御基板収納ボックスを備えたパチンコ機を底面側から示す図２のＩ−Ｉ線に基づく断面図である。
【図２】同じくパチンコ機全体を示す背面図である。
【図３】同じく制御基板収納ボックスに対し保護カバー体が開かれた状態を示す斜視図である。
【図４】同じく制御基板収納ボックスに保護カバー体が装着された状態を示す背面図である。
【図５】同じく制御基板収納ボックスのボックス本体とボックスカバー体との開閉ヒンジ部を示す図４のＶ−Ｖ線に基づく断面図である。
【図６】同じく制御基板収納ボックスのボックス本体と保護カバー体との開閉ヒンジ部を示す図４のＶＩ−ＶＩ線に基づく断面図である。
【図７】同じく制御基板収納ボックスに保護カバー体が装着された状態を示す図４のＶＩＩ−ＶＩＩ線に基づく側面図である。
【図８】同じく制御基板収納ボックスのボックスカバー体と保護カバー体との間のロック手段を拡大して示す断面図である。
【図９】同じくロック手段を破断して示す斜視図である。
【図１０】同じく制御基板収納ボックスの封印手段と保護カバー体の封印覆部との関係を破断して示す斜視図である。
【図１１】同じく制御基板収納ボックスのボックス本体に対しボックスカバー体を封印ネジによって封印する状態を示す説明図である。
【図１２】同じく制御基板収納ボックスに対し保護カバー体をその一側のヒンジ部を中心として閉じる状態を示す説明図である。
【図１３】同じく制御基板収納ボックスに対し保護カバー体を閉じた状態を示す説明図である。
【図１４】同じく制御基板収納ボックスの封印手段をなす封印用連結部をその切断用薄肉部において切断した状態を示す説明図である。
【図１５】同じく制御基板収納ボックスのボックス本体に対しボックスカバー体と共に保護カバー体を開放した状態を示す説明図である。
【図１６】同じくボックスカバー体に対しロック部材をロック解除して保護カバー体を開放した状態を示す説明図である。
【図１７】この発明の実施の形態２の制御基板収納ボックスの保護カバー体を示す説明図である。
【図１８】この発明の実施の形態３の制御基板収納ボックスの保護カバー体を示す説明図である。
【図１９】この発明の実施の形態４の制御基板収納ボックスの保護カバー体を示す説明図である。
【図２０】この発明の実施の形態５の制御基板収納ボックスの保護カバー体を取り外した状態を示す斜視図である。
【図２１】同じく制御基板収納ボックスに保護カバー体を装着した状態を示す斜視図である。
【図２２】同じく制御基板収納ボックスに保護カバー体を装着した状態を示す断面図である。
【符号の説明】
１ パチンコ機（遊技機）
１０ 裏セット
２０ 遊技盤
３３ 接続ケーブル
３６ コネクタ
５０ 制御基板取付台（取付台）
５９ コネクタ
６０ 制御基板
６１ 制御基板収納ボックス
６２ ボックス本体
６５，６７ ヒンジ軸
７０ ボックスカバー体
７１ ヒンジ部
８０ 封印手段
８１ 封印用連結部
８２ 切断用薄肉部
８３ ねじ込み孔
８４ 封印用連結部
８５ 切断用薄肉部
８６ 段付孔
８８ 封印ネジ
９０ 保護カバー体
９１ 蓋板部
９３ ヒンジ部
９５ 封印覆部
９６ コネクタ覆部
９７ コネクタ押え部
９９ 差込凸部
１００ ロック手段
１０１ ロック部材
１０２ 弾性係止片
１０５ ロック孔
１０６ 突輪
１１０ ロック手段
【図１】
0004292307.tif 000002
【図２】
0004292307.tif 000003
【図３】
0004292307.tif 000004
【図４】
0004292307.tif 000005
【図５】
0004292307.tif 000006
【図６】
0004292307.tif 000007
【図７】
0004292307.tif 000008
【図８】
0004292307.tif 000009
【図９】
0004292307.tif 000010
【図１０】
0004292307.tif 000011
【図１１】
0004292307.tif 000012
【図１２】
0004292307.tif 000013
【図１３】
0004292307.tif 000014
【図１４】
0004292307.tif 000015
【図１５】
0004292307.tif 000016
【図１６】
0004292307.tif 000017
【図１７】
0004292307.tif 000018
【図１８】
0004292307.tif 000019
【図１９】
0004292307.tif 000020
【図２０】
0004292307.tif 000021
【図２１】
0004292307.tif 000022
【図２２】
0004292307.tif 000023